【手続補正書】
【提出日】平成23年4月8日(2011.4.8)
【手続補正１】
【補正対象書類名】特許請求の範囲
【補正対象項目名】全文
【補正方法】変更
【補正の内容】
【特許請求の範囲】
【請求項１】
コンテンツギフトを第２の端末に供給するために第１の端末を動作する方法であって、前記第１及び第２の端末はギフトサーバと選択的に通信を行い、前記方法は、
前記第２の端末と互換性のあるコンテンツを識別するカタログを獲得するために前記第１の端末が、前記第２の端末の端末識別子を含むカタログ要求を前記ギフトサーバに送信することと、
前記第１の端末が、前記ギフトサーバから前記カタログを受信することと、
前記第１の端末が、前記カタログからコンテンツギフトを選択することと、
前記第１の端末が、前記選択されたコンテンツギフトは前記第２の端末によって予め所有されていないことを自動的に決定することと、
前記第１の端末が、前記コンテンツギフトを前記第２の端末に供給することを要求するギフト要求を前記ギフトサーバに送信することと、を具備する方法。
【請求項２】
前記カタログ要求が認証可能なようにセキュリティ情報を前記カタログ要求内に含めることをさらに含む請求項１に記載の方法。
【請求項３】
前記第１の端末は前記コンテンツギフトに関する費用を請け負うことを要求することをさらに具備する請求項１に記載の方法。
【請求項４】
前記カタログ要求を送信することは、ワイヤレスネットワーク接続を用いて前記カタログ要求を前記ギフトサーバに送信することを具備する請求項１に記載の方法。
【請求項５】
前記カタログ要求を送信することは、有線ネットワークを用いて前記カタログ要求を前記ギフトサーバに送信することを具備する請求項１に記載の方法。
【請求項６】
前記コンテンツが前記第２の端末によってすでに所有されているので前記コンテンツギフトは前記第２の端末に配送されなかったという通知メッセージを受信することをさらに具備する請求項１に記載の方法。
【請求項７】
前記第１及び第２の端末の少なくとも１つは無線装置である請求項１に記載の方法。
【請求項８】
コンテンツギフトを第２の端末に供給するために第１の端末とともに使用する装置であって、前記第１及び第２の端末はギフトサーバと選択的に通信を行い、前記装置は、
前記第２の端末と互換性のあるコンテンツを識別するカタログを獲得するために、前記第２の端末識別子を含むカタログ要求を前記ギフトサーバに送信するように動作するカタログ要求送信器と、
前記第１の端末で前記カタログを受信するように動作するカタログ受信器と、
前記カタログからコンテンツギフトを選択するように動作するギフト選択器であって、前記選択されたコンテンツギフトは前記第２の端末によって予め所有されていないことを自動的に決定するギフト選択器と、
前記コンテンツギフトを前記第２の端末に供給することを要求するギフト要求を前記ギフトサーバに送信するように動作するギフト要求送信器と、を具備する装置。
【請求項９】
前記カタログ要求送信器は、前記カタログ要求が認証されるようにセキュリティ情報を前記カタログ要求内に含めるロジックをさらに具備する請求項８に記載の装置。
【請求項１０】
前記ギフト要求送信器は、前記第１の端末が前記コンテンツギフトに関連する費用を請け負うことを要求するロジックをさらに具備する請求項８に記載の装置。
【請求項１１】
前記カタログ要求送信器は無線ネットワーク接続を用いて前記カタログ要求を前記ギフトサーバに送信するロジックを具備する請求項８に記載の装置。
【請求項１２】
前記カタログ要求送信器は有線ネットワーク接続を用いて前記カタログ要求を前記ギフトサーバに送信するロジックを具備する請求項８に記載の装置。
【請求項１３】
前記ギフト要求送信器は、前記コンテンツが前記第２の端末によってすでに所有されているので前記コンテンツギフトは前記第２の端末に配送されなかったという通知メッセージを受信するロジックをさらに具備する請求項８に記載の装置。
【請求項１４】
前記第１及び第２の端末の少なくとも１つは無線装置である請求項８に記載の装置。
【請求項１５】
コンテンツギフトを第２の端末に供給するために第１の端末とともに用いるプロセッサであって、前記第１及び第２の端末は選択的にギフトサーバと通信を行い、前記プロセッサは、
前記第２の端末と互換性のあるコンテンツを識別するカタログを獲得するために、前記第２の端末の識別子を含むカタログ要求を前記ギフトサーバに送信する手段と、
前記第１の端末において前記カタログを受信する手段と、
コンテンツギフトを前記カタログから選択する手段と、
前記選択されたコンテンツギフトは前記第２の端末によって予め所有されていないことを自動的に決定する手段と、
前記コンテンツギフトを前記第２の端末に供給することを要求するギフト要求を前記ギフトサーバに送信する手段と、
を具備するプロセッサ。
【請求項１６】
前記カタログ要求が認証されるようにセキュリティ情報を前記カタログ要求内に含める手段をさらに具備する請求項１５に記載のプロセッサ。
【請求項１７】
前記第１の端末が前記コンテンツギフトに関連する費用を請け負うことを要求する手段をさらに具備する請求項１５に記載のプロセッサ。
【請求項１８】
前記カタログ要求を送信する前記手段は、無線ネットワーク接続を用いて前記カタログ要求を前記サーバに送信する手段を具備する請求項１５に記載のプロセッサ。
【請求項１９】
前記カタログ要求を送信する前記手段は、有線ネットワーク接続を用いて前記カタログ要求を前記サーバに送信する手段を具備する請求項１５に記載のプロセッサ。
【請求項２０】
前記コンテンツが前記第２の端末によってすでに所有されているので前記コンテンツギフトは前記第２の端末に配送されなかったという通知メッセージを受信する手段をさらに具備する請求項１５に記載のプロセッサ。
【請求項２１】
前記第１及び第２の端末の少なくとも１つは無線装置である請求項１５に記載のプロセッサ。
【請求項２２】
第１の端末内のプロセッサによって実行されたときに、コンテンツギフトを第２の端末に供給するべく動作する指令を具備するコンピュータ読み取り可能なメディアであって、前記第１及び第２の端末はギフトサーバと選択的に通信を行い、前記メディアは、
前記第２の端末と互換性のあるコンテンツを識別するカタログを獲得するために、前記第１の端末で前記第２の端末の識別子を含むカタログ要求を前記ギフトサーバに送信する指令と、
前記第１の端末が、前記ギフトサーバから前記カタログを受信する指令と、
前記第１の端末が、コンテンツギフトを前記カタログから選択する指令と、
前記選択されたコンテンツギフトは前記第２の端末によって予め所有されていないことを前記第１の端末において自動的に決定する指令と、
前記コンテンツギフトを前記第２の端末に供給することを要求するギフト要求を前記第１の端末が前記ギフトサーバに送信する指令と、
を具備するコンピュータ読み取り可能なメディア。
【請求項２３】
前記カタログ要求が認証されるようにセキュリティ情報を前記カタログ要求内に含める指令をさらに具備する請求項２２に記載のコンピュータ読み取り可能なメディア。
【請求項２４】
前記第１の端末が前記コンテンツギフトに関連する費用を請け負うことを要求する指令をさらに具備する請求項２２に記載のコンピュータ読み取り可能なメディア。
【請求項２５】
前記カタログ要求を送信する前記指令は、無線ネットワーク接続を用いて前記カタログ要求を前記ギフトサーバに送信する指令を具備する請求項２２に記載のコンピュータ読み取り可能なメディア。
【請求項２６】
前記カタログ要求を送信する前記指令は、有線ネットワーク接続を用いて前記カタログ要求を前記ギフトサーバに送信する指令を具備する請求項２２に記載のコンピュータ読み取り可能なメディア。
【請求項２７】
前記コンテンツが前記第２の端末によってすでに所有されているので前記コンテンツギフトは前記第２の端末に配送されなかったという通知メッセージを受信する指令をさらに具備する請求項２２に記載のコンピュータ読み取り可能なメディア。
【請求項２８】
前記第１及び第２の端末の少なくとも１つは無線装置である請求項２２に記載のコンピュータ読み取り可能なメディア。
【請求項２９】
第１の端末がコンテンツギフトを第２の端末に供給可能にするためにサーバを動作させる方法であって、前記第１及び第２の端末は前記サーバと選択的に通信を行い、前記方法は、
前記サーバにおいて、前記第２の端末と互換性のあるコンテンツを識別するカタログに対するカタログ要求を前記第１の端末から受信することと、
前記サーバにおいて、前記カタログを生成することと、
前記サーバにおいて、前記カタログを前記第１の端末に送信することと、
前記サーバにおいて、前記カタログから選択されたコンテンツギフトを前記第２の端末に供給することを要求するギフト要求を前記第１の端末から受信することと、
前記サーバにおいて、前記選択されたコンテンツギフトは前記第２の端末によって予め所有されていないコンテンツであることを自動的に決定することと、
前記サーバにおいて、前記コンテンツギフトを前記第２の端末に供給することと、
を具備し、
前記生成することは、前記第２の端末と互換性のあるコンテンツを識別するために、前記カタログ要求に含まれる端末識別子を用いることを具備する方法。
【請求項３０】
前記カタログ要求を受信することはさらに、前記カタログ要求を認証することを含む請求項２９に記載の方法。
【請求項３１】
前記カタログを送信することは、有線及び無線通信チャネルを含むチャネルから選択された通信チャネルを用いて前記カタログを前記第１の端末に送信することを具備する請求項２９に記載の方法。
【請求項３２】
前記コンテンツギフトの費用を前記第１の端末に関連付けることをさらに具備する請求項２９に記載の方法。
【請求項３３】
前記コンテンツギフトを供給することは、有線及び無線通信チャネルを含むチャネルから選択された通信チャネルを用いて前記コンテンツギフトを前記第２の端末に送信することを具備する請求項２９に記載の方法。
【請求項３４】
前記第１及び第２の端末の少なくとも１つは無線装置である請求項２９に記載の方法。
【請求項３５】
第１の端末がコンテンツギフトを第２の端末に供給可能にするためにサーバを動作させる方法であって、前記第１及び第２の端末は前記サーバと選択的に通信を行い、前記方法は、
前記サーバにおいて、前記第２の端末と互換性のあるコンテンツを識別するカタログに対するカタログ要求を前記第１の端末から受信することと、
前記サーバにおいて、前記カタログを生成することと、
前記サーバにおいて、前記カタログを前記第１の端末に送信することと、
前記サーバにおいて、前記カタログから選択されたコンテンツギフトを前記第２の端末に供給することを要求するギフト要求を前記第１の端末から受信することと、
前記サーバにおいて、前記コンテンツギフトは前記第２の端末によって予め所有されていないコンテンツであることを決定することと、
前記サーバにおいて、前記コンテンツギフトを前記第２の端末に供給することと、
を具備し、
前記生成することは、前記第２の端末と互換性のあるコンテンツを識別するために、前記カタログ要求に含まれる端末識別子を用いることと、前記目的のコンテンツを識別するためのカタログを生成することと、を具備する方法。
【請求項３６】
第１の端末がコンテンツギフトを第２の端末に供給可能にするためにサーバを動作させる方法であって、前記第１及び第２の端末は前記サーバと選択的に通信を行い、前記方法は、
前記サーバにおいて、前記第２の端末と互換性のあるコンテンツを識別するカタログに対するカタログ要求を前記第１の端末から受信することと、
前記サーバにおいて、前記カタログを生成することと、
前記サーバにおいて、前記カタログを前記第１の端末に送信することと、
前記サーバにおいて、前記カタログから選択されたコンテンツギフトを前記第２の端末に供給することを要求するギフト要求を前記第１の端末から受信することと、
前記サーバにおいて、前記コンテンツギフトは前記第２の端末によってすでに所有されていることを決定することと、
前記サーバにおいて、前記コンテンツギフトは前記第２の端末に配送されなかったことを示すために、通知メッセージを前記第1の端末に送信することと、
を具備する方法。
【請求項３７】
第１の端末がコンテンツギフトを第２の端末に供給可能にするためにサーバを動作させるプロセッサであって、前記第１及び第２の端末は前記サーバと選択的に通信を行い、前記プロセッサは、
前記第２の端末と互換性のあるコンテンツを識別するカタログに対するカタログ要求を前記第１の端末から受信する手段と、
前記カタログを生成する手段と、
前記カタログを前記第１の端末に送信する手段と、
前記カタログから選択されたコンテンツギフトを前記第２の端末に供給することを要求するギフト要求を前記第１の端末から受信する手段と、
前記コンテンツギフトは前記第２の端末によって予め所有されていないコンテンツであることを決定する手段と、
前記コンテンツを前記第２の端末に提供する手段と、を具備し、
前記生成する手段は、前記第２の端末と互換性のあるコンテンツを識別するために、前記カタログ要求に含まれる端末識別子を用いる手段を含むプロセッサ。
【請求項３８】
前記カタログを受信する手段はさらに、前記カタログ要求を認証する手段を含む請求項３７に記載のプロセッサ。
【請求項３９】
前記送信する手段は、有線及び無線通信チャネルを含むチャネルから選択された通信チャネルを用いて前記カタログを前記第１の端末に送信する手段を具備する請求項３７に記載のプロセッサ。
【請求項４０】
前記コンテンツギフトの費用を前記第１の端末に関連付ける手段をさらに具備する請求項３７に記載のプロセッサ。
【請求項４１】
前記コンテンツギフトを供給する手段は、有線及び無線通信チャネルを含むチャネルから選択された通信チャネルを用いて前記コンテンツギフトを前記第２の端末に送信する手段を具備する請求項３７に記載のプロセッサ。
【請求項４２】
前記第１及び第２の端末の少なくとも１つは無線装置である請求項３７に記載のプロセッサ。
【請求項４３】
第１の端末がコンテンツギフトを第２の端末に供給可能にするためにサーバを動作させるプロセッサであって、前記第１及び第２の端末は前記サーバと選択的に通信を行い、前記プロセッサは、
前記第２の端末と互換性のあるコンテンツを識別するカタログに対するカタログ要求を前記第１の端末から受信する手段と、
前記カタログを生成する手段と、
前記カタログを前記第１の端末に送信する手段と、
前記カタログから選択されたコンテンツギフトを前記第２の端末に供給することを要求するギフト要求を前記第１の端末から受信する手段と、
前記選択されたコンテンツギフトは前記第２の端末によって予め所有されていないコンテンツであることを決定する手段と、
前記コンテンツギフトを前記第２の端末に供給する手段と、を具備し、
前記生成する手段は、前記第２の端末と互換性のあるコンテンツを識別するために、前記カタログ要求に含まれる端末識別子を用いる手段と、前記目的のコンテンツを識別するためのカタログを生成する手段と、を具備するプロセッサ。
【請求項４４】
第１の端末がコンテンツギフトを第２の端末に供給可能にするためにサーバを動作させるプロセッサであって、前記第１及び第２の端末は前記サーバと選択的に通信を行い、前記プロセッサは、
前記第２の端末と互換性のあるコンテンツを識別するカタログに対するカタログ要求を前記第１の端末から受信する手段と、
前記カタログを生成する手段と、
前記カタログを前記第１の端末に送信する手段と、
前記カタログから選択されたコンテンツギフトを前記第２の端末に供給することを要求するギフト要求を前記第１の端末から受信する手段と、
前記コンテンツギフトは前記第２の端末によってすでに所有されていることを決定する手段と、
前記コンテンツギフトは前記第２の端末に配送されなかったことを示すために、通知メッセージを前記第1の端末に送信する手段と、
を具備するプロセッサ。
【請求項４５】
第１の端末がコンテンツギフトを第２の端末に供給可能にするためにサーバを動作させる装置であって、前記第１及び第２の端末は前記サーバと選択的に通信を行い、前記装置は、
前記第２の端末と互換性のあるコンテンツを識別するカタログに対するカタログ要求を前記第１の端末から受信するカタログ要求受信器と、
前記カタログを生成するデータベースと、
前記カタログを前記第１の端末に送信するカタログ送信器と、
前記カタログから選択されたコンテンツギフトを前記第２の端末に供給することを要求するギフト要求を前記第１の端末から受信するギフト受信器であって、前記選択されたコンテンツギフトは前記第２の端末によって現在所有されていないコンテンツであることを決定する前記ギフト受信器と、
前記コンテンツギフトを前記第２の端末に供給するギフト送信器と、を具備し、
前記データベースは、前記第２の端末と互換性のあるコンテンツを識別するために、前記カタログ要求に含まれる端末識別子を用いるロジックを具備する装置。
【請求項４６】
前記カタログ要求受信器はさらに、前記カタログ要求を認証するロジックを含む請求項４５に記載の装置。
【請求項４７】
前記カタログ送信器は、有線及び無線通信チャネルを含むチャネルから選択された通信チャネルを用いて前記カタログを前記第１の端末に送信するロジックを具備する請求項４５に記載の装置。
【請求項４８】
前記データベースは、前記コンテンツギフトの費用を前記第１の端末に関連付けるロジックをさらに具備する請求項４５に記載の装置。
【請求項４９】
前記コンテンツギフトを供給するロジックは、有線及び無線通信チャネルを含むチャネルから選択された通信チャネルを用いて前記コンテンツギフトを前記第２の端末に送信するロジックを具備する請求項４５に記載の装置。
【請求項５０】
前記第１及び第２の端末の少なくとも１つは無線装置である請求項４５に記載の装置。
【請求項５１】
第１の端末がコンテンツギフトを第２の端末に供給可能にするためにサーバを動作させる装置であって、前記第１及び第２の端末は前記サーバと選択的に通信を行い、前記装置は、
前記第２の端末と互換性のあるコンテンツを識別するカタログに対するカタログ要求を前記第１の端末から受信するカタログ要求受信器と、
前記カタログを生成するデータベースと、
前記カタログを前記第１の端末に送信するカタログ送信器と、
前記カタログから選択されたコンテンツギフトを前記第２の端末に供給することを要求するギフト要求を前記第１の端末から受信するギフト受信器であって、前記選択されたコンテンツギフトは前記第２の端末によって現在所有されていないコンテンツであることを決定するギフト受信器と、
前記コンテンツギフトを前記第２の端末に供給するギフト送信器と、を具備し、
前記データベースは、前記第２の端末と互換性のあるコンテンツを識別するために、前記カタログ要求に含まれる端末識別子を用いるロジックと、前記目的のコンテンツを識別するためのカタログを生成するロジックと、を具備する装置。
【請求項５２】
第１の端末がコンテンツギフトを第２の端末に供給可能にするためにサーバを動作させるプロセッサであって、前記第１及び第２の端末は前記サーバと選択的に通信を行い、前記プロセッサは、
前記第２の端末と互換性のあるコンテンツを識別するカタログに対するカタログ要求を前記第１の端末から受信するカタログ要求受信器と、
前記カタログを生成するデータベースと、
前記カタログを前記第１の端末に送信するカタログ送信器と、
前記カタログから選択されたコンテンツギフトを前記第２の端末に供給することを要求するギフト要求を前記第１の端末から受信するギフト受信器と、を具備し、
前記データベースは、前記コンテンツギフトが前記第２の端末によってすでに所有されていることを決定するロジックと、前記コンテンツギフトが前記第２の端末に配送されなかったことを示すために、通知メッセージを前記第1の端末に送信するロジックと、
を具備するプロセッサ。
【請求項５３】
サーバ内のプロセッサによって実行されたときに、第１の端末がコンテンツギフトを第２の端末に供給可能とする指令を具備するコンピュータ読み取り可能なメディアであって、前記第１及び第２の端末はサーバと選択的に通信を行い、前記メディアは、
前記サーバにおいて、前記第２の端末と互換性のあるコンテンツを識別するカタログに対するカタログ要求を前記第１の端末から受信する指令と、
前記サーバにおいて、前記カタログを生成する指令と、
前記サーバにおいて、前記カタログを前記第１の端末に送信する指令と、
前記サーバにおいて、前記カタログから選択されたコンテンツギフトを前記第２の端末に供給することを要求するギフト要求を前記第１の端末から受信する指令と、
前記サーバにおいて、前記選択されたコンテンツギフトは前記第２の端末によって予め所有されていないコンテンツであることを決定する指令と、
前記サーバにおいて、前記コンテンツギフトを前記第２の端末に供給する指令と、
を具備し、
前記生成する指令は、前記第２の端末と互換性のあるコンテンツを識別するために、前記カタログ要求に含まれる端末識別子を用いるメディア。
【請求項５４】
前記カタログ要求を受信する指令はさらに、前記カタログ要求を認証する指令を含む請求項５３に記載のコンピュータ読み取り可能なメディア。
【請求項５５】
前記カタログ送信指令は、有線及び無線通信チャネルを含むチャネルから選択された通信チャネルを用いて前記カタログを前記第１の端末に送信する指令を具備する請求項５３に記載のコンピュータ読み取り可能なメディア。
【請求項５６】
前記コンテンツギフトの費用を前記第１の端末に関連付ける指令をさらに具備する請求項５３に記載のコンピュータ読み取り可能なメディア。
【請求項５７】
前記コンテンツギフトを供給する指令は、有線及び無線通信チャネルを含むチャネルから選択された通信チャネルを用いて前記コンテンツギフトを前記第２の端末に送信する指令を具備する請求項５３に記載のコンピュータ読み取り可能なメディア。
【請求項５８】
前記第１及び第２の端末の少なくとも１つは無線装置である請求項５３に記載のコンピュータ読み取り可能なメディア。
【請求項５９】
サーバ内のプロセッサによって実行されたときに、第１の端末がコンテンツギフトを第２の端末に供給可能とする指令を具備するコンピュータ読み取り可能なメディアであって、前記第１及び第２の端末はサーバと選択的に通信を行い、前記メディアは、
前記サーバにおいて、前記第２の端末と互換性のあるコンテンツを識別するカタログに対するカタログ要求を前記第１の端末から受信する指令と、
前記サーバにおいて、前記カタログを生成する指令と、
前記サーバにおいて、前記カタログを前記第１の端末に送信する指令と、
前記サーバにおいて、前記カタログから選択されたコンテンツギフトを前記第２の端末に供給することを要求するギフト要求を前記第１の端末から受信する指令と、
前記サーバにおいて、前記選択されたコンテンツギフトは前記第２の端末によって予め所有されていないコンテンツであることを決定する指令と、
前記サーバにおいて、前記コンテンツギフトを前記第２の端末に供給する指令と、
を具備し、
前記サーバにおいて前記生成する指令は、前記第２の端末と互換性のあるコンテンツを識別するために、前記カタログ要求に含まれる端末識別子を用いる指令と、前記目的のコンテンツを識別するためのカタログを生成する指令と、を具備するメディア。
【請求項６０】
サーバ内のプロセッサによって実行されたときに、第１の端末がコンテンツギフトを第２の端末に供給可能とする指令を具備するコンピュータ読み取り可能なメディアであって、前記第１及び第２の端末はサーバと選択的に通信を行い、前記メディアは、
前記サーバにおいて、前記第２の端末と互換性のあるコンテンツを識別するカタログに対するカタログ要求を前記第１の端末から受信する指令と、
前記サーバにおいて、前記カタログを生成する指令と、
前記サーバにおいて、前記カタログを前記第１の端末に送信する指令と、
前記サーバにおいて、前記カタログから選択されたコンテンツギフトを前記第２の端末に供給することを要求するギフト要求を前記第１の端末から受信する指令と、
前記サーバにおいて、前記コンテンツギフトは前記第２の端末によってすでに所有されていることを決定する指令と、
前記サーバにおいて、前記コンテンツギフトは前記第２の端末に配送されなかったことを示すために、通知メッセージを前記第１の端末に送信する指令と、
を具備するメディア。
【請求項６１】
コンテンツギフトを第２の端末に供給するために第１の端末を動作する方法であって、前記第１及び第２の端末はデータ通信網を介して互いに通信を行い、前記方法は、
前記第２の端末と互換性のあるコンテンツを識別するカタログを獲得するために前記第１の端末が、前記第２の端末にカタログ要求を送信することと、
前記第１の端末が、前記カタログを受信することと、
前記第１の端末が、前記カタログからコンテンツギフトを選択することと、
前記第1の端末が、前記選択されたコンテンツギフトは前記第２の端末によって予め所有されていないことを決定することと、
前記第1の端末が、ギフト要求をギフトサーバに送信することであって、前記ギフトサーバは前記コンテンツギフトを前記第2の端末に供給することと、
を具備する方法。
【請求項６２】
前記カタログ要求が認証されるようにセキュリティ情報を前記カタログ要求内に含めることをさらに具備する請求項６１に記載の方法。
【請求項６３】
前記カタログ要求を送信することは、無線ネットワーク接続を用いて前記カタログ要求を送信することを具備する請求項６１に記載の方法。
【請求項６４】
前記カタログ要求を送信することは、有線及び無線ネットワーク接続を用いて前記カタログ要求を送信することを具備する請求項６１に記載の方法。
【請求項６５】
前記第１及び第２の端末の少なくとも１つは無線装置である請求項６１に記載の方法。
【請求項６６】
前記コンテンツを前記第１の端末から前記第２の端末に送信することをさらに具備する請求項６１に記載の方法。